(57)【要約】【課題】後方へ倒す前の状態に遊技媒体回収装置の遊技媒体受手段を戻す作業を円滑に行うことを可能にする遊技媒体回収装置及び遊技機島の提供【解決手段】遊技媒体回収装置１は、複数の遊技機が背向列設される遊技機島内に、複数の遊技機のそれぞれに対応して遊技機の背面側に対向して設置され、遊技機の遊技媒体排出口より排出される遊技媒体を受け入れて、回収通路に流下させる収容ケース及び球案内部２０（本体部３）を備える。そして遊技媒体回収装置１は、本体部３を、遊技機島の遊技機の列設方向Ｄ１に取り付ける遊技機島固定部４１と、本体部３と遊技機島固定部４１との間に介装され、本体部３を回動可能に支持する回動軸４３とを備え、回動軸４３は、列設方向Ｄ１と非平行に配設され、回動軸４３を回動させる場合に、本体部３を対向する他の遊技媒体回収装置１に対して非接触方向に移動させる。【選択図】図１
2008188086.tif 000002
【特許請求の範囲】
【請求項１】
複数の遊技機が背向列設される遊技機島内に、該複数の遊技機のそれぞれに対応して該遊技機の背面側に対向して設置され、該遊技機の遊技媒体排出口より排出される遊技媒体を受け入れて、回収通路に流下させる遊技媒体受手段を備えた遊技媒体回収装置において、
上記遊技媒体受手段を、上記遊技機島に取り付ける取付手段と、
上記遊技媒体受手段と上記取付手段との間に介装され、上記遊技媒体受手段を後方に回動可能に支持する回動軸とを備え、
上記回動軸は、上記遊技機島の遊技機の列設方向と非平行に配設され、上記遊技媒体受手段を回動させる場合に、該遊技媒体受手段を上記対向する他の遊技媒体回収装置に対して非接触方向に移動させる
ことを特徴とする遊技媒体回収装置。
【請求項２】
外部操作に基づいて、上記遊技媒体受手段の回動を禁止する禁止手段を備え、
上記禁止手段は、
上記遊技機の外枠に一側部が軸支されて開閉可能に取り付けられた内枠の他側部側に配置される
ことを特徴とする請求項１に記載の遊技媒体回収装置。
【請求項３】
請求項１または請求項２に記載の遊技媒体回収装置を備えることを特徴とする遊技機島。
【発明の詳細な説明】
【技術分野】
【０００１】
本発明は、複数の遊技機が背向列設される遊技機島内に設置される遊技媒体回収装置、及び遊技媒体回収装置を備えた遊技機島に関する。
【背景技術】
【０００２】
複数の遊技機が背向列設され、遊技機の列を両側に備えた遊技機島では、遊技機のそれぞれの背面側に遊技媒体回収装置が対向して設置されている。この遊技媒体回収装置は、遊技機の遊技媒体排出口より排出される遊技球や遊技メダル等の遊技媒体を、回収通路に案内する機能を提供するもので、遊技媒体排出口の下方に位置して、遊技媒体排出口から落下してくる遊技媒体を受け止める受け皿状の遊技媒体受手段を備えている。
【０００３】
また、従来の遊技媒体回収装置は、遊技媒体受手段を回動軸を介して遊技機島に取り付け、それによって、遊技媒体受手段を後方へ倒すことができるようにした構造を採るものがある（例えば、特許文献１参照。）。このような遊技媒体回収装置は、遊技媒体受手段を後方へ倒すことで、遊技機の入れ替え作業時に、遊技媒体受手段を遊技機島から取り外すことなく、遊技媒体受手段と遊技機とが干渉しないようにすることが可能になり、遊技機の入れ替え作業を効率化できるという効果を奏する。
【特許文献１】実公平４−３６８５２号公報
【発明の開示】
【発明が解決しようとする課題】
【０００４】
ところで、複数の遊技機が背向列設される遊技機島において、特許文献１に記載の遊技媒体回収装置が設置されている場合に、この遊技機島に設置された遊技機の全てについて入れ替え作業を行う際には、遊技機の入れ替えを行う前に全ての遊技媒体回収装置の遊技媒体受手段を後方へ倒しておくことが作業の効率上望ましい。
【０００５】
しかしながら、遊技場にできる限り多くの遊技機を設置する必要性から遊技機島の島幅が制限されているため、全ての遊技媒体受手段を後方へ倒すと、対向する遊技媒体回収装置の遊技媒体受手段同士が干渉する。従って、対向し合う２つの遊技媒体回収装置のうちの一方の遊技媒体受手段を後方へ倒した後に、他方の遊技媒体受手段を後方へ倒すと、これら２つの遊技媒体受手段は上下に重なった状態となってしまう。
【０００６】
このため、下方に位置している遊技媒体受手段を、上方に位置している遊技媒体受手段よりも先に、後方へ倒す前の状態（以下、元の状態ともいう）に戻す場合には、上方に位置している遊技媒体受手段が邪魔になる。従って、下方に位置している遊技媒体受手段を元の状態に戻す前に、上方に位置している遊技媒体受手段を一旦元の状態に戻す作業を余分に行う必要があり、遊技機入れ替え作業の効率を悪化させる原因となっていた。
【０００７】
本発明は、こうした問題に鑑みなされたものであり、後方へ倒す前の状態に遊技媒体回収装置の遊技媒体受手段を戻す作業を円滑に行うことを可能にする遊技媒体回収装置及び遊技機島の提供を目的とする。
【課題を解決するための手段】
【０００８】
上記課題を解決するための手段として、請求項１の発明の遊技媒体回収装置は、複数の遊技機が背向列設される遊技機島内に、該複数の遊技機のそれぞれに対応して該遊技機の背面側に対向して設置され、該遊技機の遊技媒体排出口より排出される遊技媒体を受け入れて、回収通路に流下させる遊技媒体受手段を備えた遊技媒体回収装置において、上記遊技媒体受手段を、上記遊技機島に取り付ける取付手段と、上記遊技媒体受手段と上記取付手段との間に介装され、上記遊技媒体受手段を後方に回動可能に支持する回動軸とを備え、上記回動軸は、上記遊技機島の遊技機の列設方向と非平行に配設され、上記遊技媒体受手段を回動させる場合に、該遊技媒体受手段を上記対向する他の遊技媒体回収装置に対して非接触方向に移動させることを要旨とする。
【０００９】
このように構成された請求項１の遊技媒体回収装置は、列設方向と非平行に配設された回動軸を回動中心として遊技媒体受手段を後方に回動させることによって、遊技媒体受手段を、対応する遊技機の斜め後方に倒すことができる。
【００１０】
請求項２の発明の遊技媒体回収装置は、外部操作に基づいて、上記遊技媒体受手段の回動を禁止する禁止手段を備え、上記禁止手段は、上記遊技機の外枠に一側部が軸支されて開閉可能に取り付けられた内枠の他側部側に配置されることを特徴とする請求項１に記載の遊技媒体回収装置を要旨とする。
【００１１】
これにより、請求項１の作用に加え、内枠の開放時において遊技機島内に人間の手を入れることができる側に禁止手段が配置される。
請求項３の発明の遊技機島は、請求項１または請求項２に記載の遊技媒体回収装置を備えることを特徴とする遊技機島を要旨とする。
【００１２】
このように構成された請求項３の遊技機島は、請求項１または請求項２の遊技媒体回収装置と同様の作用を得ることができる。
【発明の効果】
【００１３】
請求項１の発明の遊技媒体回収装置は、遊技媒体受手段を回動させる場合に、遊技媒体受手段を、対向する他の遊技媒体回収装置に対して非接触方向に移動させる。
このため、対向し合う遊技媒体回収装置のそれぞれについて、遊技媒体受手段を回動させて後方へ倒した場合に、後方へ倒した遊技媒体受手段同士が干渉しないために上下に重なってしまうことがない。
【００１４】
従って、後方へ倒した遊技媒体受手段を、後方へ倒す前の状態（以下、元の状態ともいう）に戻す場合には、対向する遊技媒体回収装置の遊技媒体受手段が邪魔にならない。つまり、後方へ倒した遊技媒体受手段を元の状態に戻す場合に、上方に位置している遊技媒体受手段を一旦元の状態に戻す作業が不要になる。このため、後方へ倒した遊技媒体受手段を元の状態に戻す作業を円滑に行うことができるという極めて優れた効果を奏する。
【００１５】
請求項２の発明の遊技媒体回収装置は、請求項１の効果に加え、開放された内枠の他側部側から遊技機島の内部に、遊技場のスタッフの手が入れられた場合に、禁止手段が内枠の一側部側に配置される場合よりも、スタッフの手が禁止手段に届き易い。従って、遊技機島の内部に手を入れて遊技媒体受手段の回動を禁止するための操作を行うことが容易になるという効果を奏する。
【００１６】
請求項３の発明の遊技機島は、請求項１または請求項２の遊技媒体回収装置と同様の効果を奏する。
【発明を実施するための最良の形態】
【００１７】
以下に本発明の実施形態について図面を基に説明する。
図１は遊技媒体回収装置１の斜視図、図２は遊技媒体回収装置１が遊技機島１００に設置された状態を示す正面図、図３は遊技媒体回収装置１が遊技機島１００に設置された状態を示す平面図である。
【００１８】
遊技機島１００には、図２に示すように、列設方向Ｄ１に沿って複数の遊技機２００が設置されている。そして遊技媒体回収装置１は、遊技機２００の遊技球排出口２１０の下方に設置されており、遊技球排出口２１０から下方ＹＫに落下する遊技球Ｂを受け入れて、受け入れた遊技球Ｂを、遊技機島１００の下部に配置される回収樋１１０へ案内する機能を備える。
【００１９】
そして遊技媒体回収装置１は、図１に示すように、遊技球排出口２１０から落下する遊技球Ｂを回収樋１１０に案内する本体部３と、本体部３を遊技機島１００に対して回動可能に取り付ける蝶番部４と、本体部３の回動を阻止するための阻止部５とから構成される。
【００２０】
本体部３は、遊技球排出口２１０から落下する遊技球Ｂを受け入れる収容ケース１０と、収容ケース１０が受け入れた遊技球Ｂを回収樋１１０の上方まで移動させる球案内部２０と、収容ケース１０と遊技機島１００とを連結する第一脚部３１及び第二脚部３２とから構成される。
【００２１】
これらのうち収容ケース１０は、収容ケース１０の底面を構成する矩形状の底面板１１と、底面板１１の端縁部１１ｃに立設され、この端縁部１１ｃから遊技球Ｂが落下することを防止するための遮蔽板１２と、底面板１１の中心部に形成され、受け入れた遊技球Ｂを排出するための通過孔１３と、球案内部２０を回転自在に支持するための回転軸１４とから構成される。
【００２２】
尚、底面板１１は、この端縁部１１ｃから通過孔１３に向けて下方ＹＫに傾斜している。また回転軸１４は、底面板１１において遊技球Ｂを受け入れる側となる面（以下、球受け入れ面という）１１ａに対して反対側となる面（以下、球受け入れ反対面という）１１ｂ上に立設されている。
【００２３】
次に球案内部２０は、通過孔１３から落下する遊技球Ｂを受け入れる球受入部２１と、球受入部２１に受け入れられた遊技球Ｂを斜め下方向ＹＮＫに１列に整列させる整列路２２と、１列に整列した遊技球Ｂを１個ずつ落下させる落下孔２３とから構成される。
【００２４】
従って、遊技媒体回収装置１は、球案内部２０を回転軸１４を中心に回転させることによって、落下孔２３が回転軸１４を中心に移動して、通過孔１３から受け入れた遊技球Ｂの落下位置を調整することが可能となっている。
【００２５】
また、第一脚部３１及び第二脚部３２は、球受け入れ反対面１１ｂから下方ＹＫに向けて立設されている。
また蝶番部４は、遊技機島１００に固定される遊技機島固定部４１と、第一脚部３１に固定される脚固定部４２と、遊技機島固定部４１の軸受け部４１ａ及び脚固定部４２の軸受け部４２ａに挿通され、脚固定部４２を遊技機島固定部４１に対して回動可能に支持する回動軸４３とから構成される。
【００２６】
尚、蝶番部４は、底面板１１の長手方向Ｎ１と列設方向Ｄ１とが平行となるように、且つ、遊技機島１００における遊技機２００の列設方向Ｄ１と回動軸４３の方向とが非平行になるように、遊技機島１００に取り付けられる。
【００２７】
また阻止部５は、第二脚部３２に固設される板状部材５１と、遊技機島１００上に垂直方向ＹＳに沿って立設された回動軸５２ａと、この回動軸５２ａを中心にして、矢印Ｙ１で示す水平方向に回動可能な阻止部材５２とから構成される。
【００２８】
これにより、阻止部材５２は、板状部材５１の上面５１ａに当接する阻止位置Ｐ１と板状部材５１に非当接となる非阻止位置Ｐ２との間で移動可能とされる。また、阻止部材５２は、阻止位置Ｐ１と非阻止位置Ｐ２との間で阻止部材５２を移動させる際に把持される取手５２ｂを備える。
【００２９】
また図３に示すように、遊技機２００は、遊技機島１００に取り付けられる外枠２０１と、この外枠２０１の一側部に設けられた軸２０３と、軸２０３に回転可能に軸支された内枠２０２とから構成されている。これにより遊技機２００は、矢印Ｙ２で示すように、一側部２０２ａ側に配置されている軸２０３を中心に、他側部２０２ｂを開放端ＫＴとして内枠２０２が開閉される。
【００３０】
そして、遊技媒体回収装置１の蝶番部４は一側部２０２ａ側に配置され、阻止部５は、開放端ＫＴとなる他側部２０２ｂ側に配置される。
図４（ａ）は、遊技球排出口２１０から落下する遊技球を受け入れる状態（以下、球受け入れ状態という）Ｊ１にある遊技媒体回収装置１の平面図、図４（ｂ）は、本体部３を遊技機２００（図２を参照）の後方へ倒した状態（以下、後方傾倒状態という）Ｊ２にある遊技媒体回収装置１の平面図である。また、図５（ａ）は図４（ａ）の方向Ａから見た側面図、図５（ｂ）は図４（ｂ）の方向Ａから見た側面図である。
【００３１】
遊技媒体回収装置１は、図４（ａ）に示すように、球受け入れ状態Ｊ１において、底面板１１の長手方向Ｎ１は、列設方向Ｄ１に対して平行となっている。そして、図４（ｂ）に示すように、回動軸４３を中心として本体部３を回動させて倒すと、底面板１１の長手方向Ｎ１は列設方向Ｄ１に対して非平行となる。
【００３２】
また、底面板１１の球受け入れ面１１ａは、図５（ａ）に示すように、遊技球排出口２１０（図２を参照）から落下する遊技球を受け入れる状態では、上方ＹＪに向いている。そして、本体部３を回動させて倒すと、図５（ｂ）に示すように、球受け入れ面１１ａは下方ＹＫに向く。
【００３３】
図６（ａ）は、球受け入れ状態Ｊ１にある複数の遊技媒体回収装置１の平面図、図６（ｂ）は、後方傾倒状態Ｊ２にある複数の遊技媒体回収装置１の平面図である。
図６（ａ）に示すように、複数の遊技機２００が背向列設された遊技機島１００には、遊技機２００のそれぞれの背面側に遊技媒体回収装置１が対向して設置されている。そして、各遊技媒体回収装置１について本体部３を回動させると、図６（ｂ）に示すように、対向する他の遊技媒体回収装置１に対して非接触となるように、本体部３を遊技機２００の斜め後方へ倒すことができる。
【００３４】
このため、対向し合う遊技媒体回収装置１のそれぞれについて、本体部３を回動させて後方へ倒した場合に、後方へ倒した本体部３同士が干渉しないために上下に重なってしまうことがない。
【００３５】
従って、後方へ倒した本体部３を、球受け入れ状態Ｊ１に戻す場合には、対向する遊技媒体回収装置１の本体部３が邪魔にならない。つまり、後方傾倒状態Ｊ２を球受け入れ状態Ｊ１に戻す場合に、上方に位置している本体部３を一旦球受け入れ状態Ｊ１に戻す作業が不要になる。このため、後方へ倒した本体部３を元の状態に戻す作業を円滑に行うことができるという極めて優れた効果を奏する。
【００３６】
また、阻止部材５２を阻止位置Ｐ１に移動させた場合には、本体部３の回動が阻止され、阻止部材５２を非阻止位置Ｐ２に移動させた場合には、本体部３の回動の阻止が解除される。そして、遊技媒体回収装置１の阻止部５は、内枠２０２を開放する場合の開放端ＫＴとなる他側部２０２ｂ側に配置される（図３を参照）。このため、開放された内枠２０２の他側部２０２ｂ側から遊技機島１００の内部に、遊技場のスタッフの手を入れる場合に、阻止部５が内枠２０２の一側部２０２ａ側に配置される場合よりも、スタッフの手が阻止部５に届き易い。従って、遊技機島１００の内部に手を入れてから取手５２ｂを把持し、阻止部材５２を非阻止位置Ｐ２から阻止位置Ｐ１（図１を参照）へ移動させる操作を行うことが容易になるという効果を奏する。
【００３７】
以上説明した実施形態において、遊技媒体回収装置１は本発明における遊技媒体回収装置、本体部３は本発明における遊技媒体受手段、遊技機島固定部４１は本発明における取付手段、回動軸４３は本発明における回動軸、阻止部５は本発明における禁止手段、遊技球排出口２１０は本発明における遊技媒体排出口、回収樋１１０は本発明における回収通路である。
【００３８】
以上、本発明の一実施例について説明したが、本発明は上記実施例に限定されるものではなく、本発明の技術的範囲に属する限り種々の形態を採ることができる。
【図面の簡単な説明】
【００３９】
【図１】遊技媒体回収装置１の斜視図である。
【図２】遊技媒体回収装置１が遊技機島１００に設置された状態を示す正面図である。
【図３】遊技媒体回収装置１が遊技機島１００に設置された状態を示す平面図である。
【図４】球受け入れ状態Ｊ１及び後方傾倒状態Ｊ２にある遊技媒体回収装置１の平面図である。
【図５】図４の方向Ａから見た遊技媒体回収装置１の側面図である。
【図６】球受け入れ状態Ｊ１及び後方傾倒状態Ｊ２にある複数の遊技媒体回収装置１の平面図である。
【符号の説明】
【００４０】
１…遊技媒体回収装置、３…本体部、４…蝶番部、５…阻止部、１０…収容ケース、１１…底面板、１１ａ…球受け入れ面、１１ｂ…球受け入れ反対面、１２…遮蔽板、１３…通過孔、１４…回転軸、２０…球案内部、２１…球受入部、２２…整列路、２３…落下孔、３１…第一脚部、３２…第二脚部、４１…遊技機島固定部、４２…脚固定部、４３…回動軸、５１…板状部材、５２…阻止部材、５２ａ…回動軸、５２ｂ…取手、１００…遊技機島、１１０…回収樋、２００…遊技機、２０１…外枠、２０２…内枠、２０２ａ…一側部、２０２ｂ…他側部、２０３…軸、２１０…遊技球排出口
【図１】
2008188086.tif 000003
【図２】
2008188086.tif 000004
【図３】
2008188086.tif 000005
【図４】
2008188086.tif 000006
【図５】
2008188086.tif 000007
【図６】
2008188086.tif 000008